(57)【要約】【課題】電気部品を位置決めでき、かつ摺動音を抑制することが可能な吐水装置を提供する。【解決手段】基端側から先端側に向かって延びる吐水管１０と、前記吐水管１０の先端側に着脱自在に保持され、吐水口１１を有する吐水口部材１２と、前記吐水管１０の内部に配置され、前記吐水口部材１２に給水する給水ホース１８を収容するホース収容部１９と、電気部品を収容する電気部品収容部２１との間を仕切る仕切り部材４０と、を備えた吐水装置Ｍであり、前記仕切り部材４０のうち前記電気部品収容部２１に臨む面５６に、前記電気部品３０が前記先端側から係止する段差部４２が突出して設けられ、前記仕切り部材４０のうち前記ホース収容部１９に臨む面５８に、前記段差部４２と前記段差部より基端側の部分とを繋ぐスロープ部４３が設けられている。【選択図】図１
2020045674.tif 000002
【特許請求の範囲】
【請求項１】
基端側から先端側に向かって延びる吐水管と、
前記吐水管の先端側に着脱自在に保持され、吐水口を有する吐水口部材と、
前記吐水管の内部に配置され、前記吐水口部材に給水する給水ホースを収容するホース収容部と、電気部品を収容する電気部品収容部との間を仕切る仕切り部材と、
を備えた吐水装置であり、
前記仕切り部材のうち前記電気部品収容部に臨む面に、前記電気部品が前記先端側から係止する段差部が突出して設けられ、
前記仕切り部材のうち前記ホース収容部に臨む面に、前記段差部と前記段差部より前記基端側の部分とをつなぐスロープ部が設けられている吐水装置。
【請求項２】
前記スロープ部が、前記吐水管の延び方向に対して交差する方向に並列した複数のリブにより形成されている請求項１に記載の吐水装置。
【発明の詳細な説明】
【技術分野】
【０００１】
本発明は、吐水装置に関する。
【背景技術】
【０００２】
従来、基端側から先端側に向かって延びる吐水管の先端側に、吐水口を有する吐水口部材が着脱自在に保持された吐水装置が知られている。吐水管の内部には、吐水口部材に給水する給水ホースが引き出し自在に収容されるとともに、コネクタやハーネス等の電気部品が収容されている。電気部品の収容部と給水ホースの収容部との間は、仕切り部材によって仕切られている。
【０００３】
例えば下記特許文献１記載の吐水装置の仕切り部材には、コネクタやハーネス等の電気部品が吐水管の基端側に引っ張られて電気的な不具合が生じることを防ぐべく、電気部品を位置決めするための保持部材が取り付けられている。
【先行技術文献】
【特許文献】
【０００４】
【特許文献１】特開２０１８−６６２１０号公報
【発明の概要】
【発明が解決しようとする課題】
【０００５】
しかしながら、上記のような構成では、仕切り部材から保持部材が外れる虞がある。このため、給水ホースが吐水管内を摺動する際に保持部材に接触し、摺動音が発生する虞があった。
【０００６】
本発明は上記のような事情に基づいて完成されたものであって、電気部品を位置決めでき、かつ摺動音を抑制することが可能な吐水装置を提供することを目的とする。
【課題を解決するための手段】
【０００７】
本発明の吐水装置は、基端側から先端側に向かって延びる吐水管と、前記吐水管の先端側に着脱自在に保持され、吐水口を有する吐水口部材と、前記吐水管の内部に配置され、前記吐水口部材に給水する給水ホースを収容するホース収容部と、電気部品を収容する電気部品収容部との間を仕切る仕切り部材と、を備えた吐水装置であり、前記仕切り部材のうち前記電気部品収容部に臨む面に、前記電気部品が前記先端側から係止する段差部が突出して設けられ、前記仕切り部材のうち前記ホース収容部に臨む面に、前記段差部と前記段差部より前記基端側の部分とをつなぐスロープ部が設けられているものである。
【０００８】
本発明によれば、段差部に電気部品を係止して電気部品を位置決めでき、かつ給水ホースがスロープ部に沿って移動するため、摺動音を抑制することができる。
【図面の簡単な説明】
【０００９】
【図１】本実施例における吐水装置を示す断面図
【図２】吐水管を示す斜視図
【図３】センサユニットが位置決めされている状態を示す吐水装置の一部切り欠き斜視図
【図４】段差部を正面から見たときの基端側仕切り部材を示す図
【図５】スロープ部を正面から見たときの基端側仕切り部材を示す図
【図６】電線保持部を正面から見たときの基端側仕切り部材を示す図
【図７】切欠部を正面から見たときの基端側仕切り部材を示す図
【図８】スロープ部を拡大して示す基端側仕切り部材の一部切欠拡大斜視図
【発明を実施するための形態】
【００１０】
本発明の好ましい形態を以下に示す。
本発明の吐水装置は、前記スロープ部が、前記吐水管の延び方向に対して交差する方向に並列した複数のリブにより形成されているものとしてもよい。このような構成によれば、給水ホースとスロープ部との接触面積を小さくできるから、給水ホースの摺動性をよくすることができ、摺動音をより小さくできる。
【００１１】
＜実施例＞
以下、本発明を具体化した一実施例について、図１〜図８を参照しつつ詳細に説明する。本実施例では、本発明をキッチン用のホース収納式自動水栓に適用した場合を説明する。
本実施例における吐水装置Ｍは、図１に示すように、基端側から先端側に向かって延びる吐水管１０と、吐水口１１を有して吐水管１０の先端側に着脱自在に保持される吐水口部材１２と、を備えている。吐水装置Ｍは、例えばキッチンのシンク周辺のカウンタに設置される。以下、各構成部材において、吐水管１０の延び方向に沿って図１の左側（吐水管１０の先端側）を先端側、右側（吐水管１０の基端側）を基端側として説明する。また、図１の上側を上側、下側を下側として説明する。
【００１２】
吐水管１０は、図１に示すように、中間部が湾曲して逆Ｕ字状に形成され、先端側が斜め下方に延びた、いわゆるグースネック状をなしている。吐水管１０は、金属パイプを折り曲げ加工により形成される。
【００１３】
吐水管１０の基端部は、図１に示すように、水栓本体２２に固定されている。水栓本体２２には、図示しない混合弁と、混合弁を操作するハンドル部１６とが設けられている。ハンドル部１６は、左右回動操作によって水と湯との混合比率を調節し、上下回動操作によって吐水流量を調節する。
【００１４】
吐水管１０の上面には、センサ３１が嵌め込まれる窓部１３が開口している。窓部１３は、図２に示すように、吐水管１０の延び方向に長い形状をなし、吐水管１０の上端より先端側の位置に形成されている。
【００１５】
吐水管１０の先端部（窓部１３より先端側）には、図１に示すように、吐水口部材１２を着脱自在に保持する部材保持部１４が備えられている。部材保持部１４は、円筒形状をなしている。部材保持部１４の内側の開口１５から、吐水口部材１２に給水する給水ホース１８が出し入れされる。
【００１６】
吐水口部材１２は、吐水管１０の先端部（部材保持部１４）に着脱自在に取り付けられている。吐水口部材１２は、吐水口１１からの吐水をシャワー吐水とストレート吐水とに切り替えるための切替操作部１７を有している。切替操作部１７は、全体として円筒形状をなし、外周面に摘み部１７Ａが突設されている。摘み部１７Ａの位置を切替操作部１７の軸周りに所定角度回転させると、シャワー吐水とストレート吐水とが切り替えられる。
【００１７】
給水ホース１８は、可撓性のある金属製であり、一端が吐水口部材１２に接続され、他端が混合弁から延びた図示しない給水路に接続されている。給水ホース１８内を流れた水は、吐水口部材１２の吐水口１１から吐水される。
【００１８】
吐水管１０の内部には、給水ホース１８を収容するホース収容部１９とセンサユニット（電気部品）３０を収容する電気部品収容部２１とが設けられている。
給水ホース１８は、ホース収容部１９に、吐水管１０の軸方向に所定の長さだけ移動自在に収容されている。
【００１９】
センサユニット３０は、図１に示すように、センサ３１と、センサ３１を保持するセンサホルダ３２と、センサ３１に接続された複数本の電線３３とを備えている。センサユニット３０は、吐水管１０に内側から取り付けられる。
【００２０】
センサ３１は、吐水管１０の窓部１３から上方に露出した状態で、吐水管１０の上面に配されている。センサ３１は、斜め前上方の検知エリア内に使用者の手等の被検知物があるか否かを検知し、被検知物の検知結果を示す信号を制御部に出力する。
【００２１】
制御部は、センサ３１からの出力信号に基づいて、給水ホース１８の上流側に連通する図示しない給水路に設けられた電磁弁を開閉し、吐水口１１からの給水の有無を切り替える。制御部は、検知エリア内で被検知物が検知されると、その後、被検知物が検知されなくなっても吐水口１１からの給水を継続し、検知エリア内で再び被検知物が検知されると、吐水口１１からの給水を停止する。
センサホルダ３２は、吐水管１０の上面に沿うように薄い板状をなして湾曲している。
【００２２】
電線３３は吐水管１０の内部を通り、カウンタの下部においてセンサ３１を制御する制御部や電源に接続され、検出に基づく信号を伝達し、またセンサ３１に電力を供給する。電線３３は、センサ３１側の電線３３Ａと制御部側もしくは電源側の電線３３Ｂとを有し、これらの電線３３Ａ，３３Ｂがコネクタ３４を介して接続されている。コネクタ３４より基端側の電線３３Ｂは、図３に示すように、外装部材３５に包囲され、結束バンド３６によって束ねられている。
【００２３】
吐水管１０の内部には、ホース収容部１９と電気部品収容部２１との間を仕切る仕切り部材４０が備えられている。仕切り部材４０は、吐水管１０の内部空間のうち上面に近い側に配されている。
【００２４】
仕切り部材４０は、吐水管１０の軸方向に長く延びている仕切り本体４１を有し、電気部品収容部２１は、仕切り本体４１の一面側（湾曲形状における外側）に形成され、ホース収容部１９は、仕切り本体４１の他面側（湾曲形状における内側）に形成されている。ホース収容部１９は、部材保持部１４の開口１５に連通している。センサユニット３０と給水ホース１８とは、仕切り本体４１によって離隔され、接触が防がれている。
【００２５】
仕切り本体４１の電気部品収容部２１に臨む面（以後、表面５６と称する）には、センサユニット３０が先端側から係止する段差部４２が設けられ、ホース収容部１９に臨む面（以後、裏面５８と称する）にはスロープ部４３が設けられている。段差部４２及びスロープ部４３については、後ほど詳しく説明する。
【００２６】
仕切り部材４０は、吐水管１０の先端側と基端側とに分割されている。吐水管１０の先端側に配される仕切り部材４０（以後、先端側仕切り部材４０Ａと称する）の仕切り本体４１（以後、先端側仕切り本体４１Ａと称する）と、吐水管１０の基端側に配される仕切り部材４０（以後、基端側仕切り部材４０Ｂと称する）の仕切り本体４１（以後、基端側仕切り本体４１Ｂと称する）とは、連結部材４４により、表面５６が滑らかに連続するように連結されている。
【００２７】
先端側仕切り部材４０Ａはセンサホルダ３２を保持する。センサホルダ３２は、先端側仕切り本体４１Ａの表面５６に載置される。
先端側仕切り部材４０Ａは、先端側仕切り本体４１Ａの下側を支持する支持脚４５を有している。支持脚４５は、先端側仕切り本体４１Ａの幅方向における一方の側に寄った位置に設けられている。先端側仕切り本体４１Ａの下方の空間は、支持脚４５より一方の側が狭く、他方の側が広くなっており、広い側の空間がホース収容部１９とされている。
【００２８】
支持脚４５の下端は吐水管１０の内周面１０Ａに当接している。支持脚４５の下端には、吐水管１０の内周面１０Ａに沿うように支持面４６が設けられている。支持面４６は、支持脚４５の下端からホース収容部１９側のみに延出している。ホース収容部１９は、先端側仕切り本体４１Ａと、支持脚４５と、支持面４６と吐水管１０の内周面１０Ａとに囲まれてなる。
【００２９】
基端側仕切り部材４０Ｂは、コネクタ３４及び電線３３を保持する。コネクタ３４及び電線３３は、基端側仕切り本体４１Ｂの表面５６に載置される。基端側仕切り本体４１Ｂの先端部（図４では下端部）には、三角形状の第１切欠部５７が形成されている。
基端側仕切り部材４０Ｂは、基端側仕切り本体４１Ｂの幅方向両側から垂下する一対の側面５１を有し、全体として管状をなしている。
【００３０】
一対の側面５１の下端の間は、図７に示すように、基端側仕切り部材４０Ｂの先端側（図７では上側）の端から軸方向に沿って切りかかれた形態の第２切欠部５２とされている。第２切欠部５２の先端側は開放されている。第２切欠部５２の先端部は、先端に向かって徐々に第２切欠部５２の幅寸法が広がる拡幅部５４とされている。第２切欠部５２は、後述する段差部４２の近傍（段差部４２より若干基端側）に至っている。第２切欠部５２は、段差部４２の位置まで一定の幅寸法を有し、段差部４２より基端側は次第に幅寸法が小さくなる縮幅部５３とされている。
【００３１】
基端側仕切り部材４０Ｂの基端側の端部（第１切欠部５７とは反対側の端部）は、一対の側面５１が筒状をなして繋がった形態をなし、全周が閉じた筒部５５とされている。
筒部５５の基端側仕切り本体４１Ｂの表面５６には、図３に示すように、電線３３を保持する電線保持部４７が設けられている。電線保持部４７は、基端側仕切り本体４１Ｂの幅方向両側縁から片持ち状をなして延出する一対の保持片４８を有している。一対の保持片４８は、図６に示すように、基端側仕切り本体４１Ｂの軸方向に離れて配され、一方の側縁と他方の側縁とから、軸方向と交差方向に延出している。両保持片４８は、それぞれ基端側仕切り本体４１Ｂの幅方向における中央を越えて反対側まで延出している。一方の保持片４８は、後述するスロープ部４３の表側に位置している。他方の保持片４８は、基端側仕切り部材４０Ｂの端に位置している。
【００３２】
両保持片４８の自由端部には、図６に示すように、軸方向に直交する方向に対して斜めに切りかかれた切欠縁部４９が形成されている。切欠縁部４９は、先端側（図６では上側）の保持片４８においては基端側に、基端側（図６では下側）の保持片４８においては先端側に形成されている。電線３３は、各保持片４８の自由端側から保持片４８と基端側仕切り本体４１Ｂとの間に挿入され保持される。
【００３３】
さて、基端側仕切り本体４１Ｂの表面５６には、図３に示すように、段差部４２が突設されている。これにより、基端側仕切り本体４１Ｂは、段差部４２より先端側の部分（以後、第１本体５９と称する）が基端側の部分（以後、第２本体６１と称する）より一段表側に位置している。ホース収容部１９は、図１に示すように、段差部４２より基端側が先端側より表側に広くなっている。なお、段差部４２は、連結部材４４より基端側にずれた位置に設けられている。
【００３４】
段差部４２は、図１に示すように、基端側仕切り本体４１Ｂの表面５６と直交する方向に立ち上がっている。段差部４２には、第１本体５９の上面に配置された結束バンド３６が先端側から係止する。これにより、センサユニット３０は、吐水管１０の軸方向に対して位置決めされ、基端側への位置ずれが規制される。したがって、コネクタ３４が吐水管１０の基端側に引っ張られて外れたり、電線３３が吐水管１０の基端側に引っ張られて断線したりすることを防止できる。
【００３５】
基端側仕切り本体４１Ｂの裏面５８には、図１に示すように、段差部４２から基端側に向かって傾斜したスロープ部４３が設けられている。スロープ部４３は、基端側仕切り部材４０Ｂの筒部５５に形成されている。スロープ部４３は、図８に示すように、第１本体５９の裏面５８と第２本体６１の裏面５８とを緩やかに繋ぐ傾斜面６３を有している。
【００３６】
スロープ部４３は、図５に示すように、吐水管１０の延び方向に対して交差方向に並列した複数のリブ６４を有している。複数のリブ６４は、同じ形状、同じ大きさであり、基端側仕切り本体４１Ｂの幅方向に概ね等間隔で配置されている。各リブ６４の厚さ寸法は、隣接するリブ６４の間の間隔より小さくされている。複数のリブ６４は、基端側仕切り本体４１Ｂの全幅にわたって配されている。
【００３７】
傾斜面６３は、各リブ６４に形成されている。各リブ６４は、図８に示すように、段差部４２の裏面５８と第２本体６１の裏面５８とを繋ぐ三角形状をなしている。各リブ６４は、基端側仕切り部材４０Ｂの長さ方向に長く、傾斜面６３の勾配は緩やかになっている。各リブ６４の傾斜面６３の一端は、第１本体５９の裏面５８に連なり、他端は第２本体６１の裏面５８に連なる。
【００３８】
次に、上記のように構成された実施例の作用および効果について説明する。
本実施例の吐水装置Ｍは、基端側から先端側に向かって延びる吐水管１０と、吐水口１１を有して吐水管１０の先端側に着脱自在に保持される吐水口部材１２と、を備えている。吐水管１０の内部には、吐水口部材１２に給水する給水ホース１８を収容するホース収容部１９と、電気部品を収容する電気部品収容部２１とが設けられ、ホース収容部１９と電気部品収容部２１との間を仕切る仕切り部材４０を有している。仕切り部材４０の表面（電気部品収容部２１に臨む面）５６に、センサユニット３０が先端側から係止する段差部４２が突出して設けられ、仕切り部材４０の裏面（ホース収容部１９に臨む面）５８に、段差部４２と段差部４２より基端側の部分とを繋ぐスロープ部４３が設けられている。この構成によれば、センサユニット３０を位置決めでき、かつ給水ホース１８がスロープ部４３に沿って移動するため、摺動音を抑制することができる。
【００３９】
また、スロープ部４３が、吐水管１０の幅方向（延び方向に対して交差する方向）に並列した複数のリブ６４により形成されている。この構成によれば、例えば吐水管１０の幅全体に広がったスロープ部４３を設ける場合に比して、給水ホース１８とスロープ部４３との接触面積を小さくできるから、給水ホース１８の摺動性をよくすることができ、摺動音をより小さくできる。また、スロープ部４３を複数のリブ６４によって構成することにより、例えば吐水管の幅全体に広がったスロープ部を設ける場合に比してヒケを生じにくいため、容易に成形できる。
【００４０】
＜他の実施例＞
本発明は上記記述及び図面によって説明した実施例に限定されるものではなく、例えば次のような実施例も本発明の技術的範囲に含まれる。
（１）上記実施例では、本発明を自動水栓に適用した場合を例示したが、これに限らず、本発明は自動水栓ではない水栓にも適用できる。
（２）上記実施例では、基端側仕切り部材４０Ｂの具体的な形状を例示したが、これに限らず、基端側仕切り部材は、少なくとも基端側仕切り本体を有していればよく、全体的な形状は任意に変更できる。
（３）上記実施例では、仕切り部材４０が先端側と基端側とに分割されている場合を例示したが、これに限らず、仕切り部材は、先端側仕切り部材と基端側仕切り部材とに分割されていない一つの部品であってもよく、また３以上に分割されていてもよい。
（４）上記実施例では、基端側仕切り部材４０Ｂに段差部４２が設けられているが、これに限らず、段差部は先端側仕切り部材に設けてもよい。
（５）上記実施例では、センサユニット３０の電線３３を束ねる結束バンド３６が段差部４２に係止しているが、これに限らず、センサユニットの他の部分、例えばコネクタ等が段差部に係止してもよい。
（６）上記実施例では、電気部品がセンサユニット３０である場合を例示したが、これに限らず、電気部品は他の電気部品（例えばＬＥＤユニット等）であってもよい。
（７）上記実施例では、吐水管１０がいわゆるグースネック状をなしている場合を例示したが、これに限らず、吐水管は、例えば基端側から先端側に直線状に延びた形状のものであってもよい。
【符号の説明】
【００４１】
Ｍ…吐水装置
１０…吐水管
１１…吐水口
１２…吐水口部材
１８…給水ホース
１９…ホース収容部
２１…電気部品収容部
３０…センサユニット（電気部品）
４０Ｂ…基端側仕切り部材（仕切り部材）
４２…段差部
４３…スロープ部
５６…基端側仕切り本体の表面（仕切り部材のうち電気部品収容部に臨む面）
５８…基端側仕切り本体の裏面（仕切り部材のうちホース収容部に臨む面）
６４…リブ
【図１】
2020045674.tif 000003
【図２】
2020045674.tif 000004
【図３】
2020045674.tif 000005
【図４】
2020045674.tif 000006
【図５】
2020045674.tif 000007
【図６】
2020045674.tif 000008
【図７】
2020045674.tif 000009
【図８】
2020045674.tif 000010